(57)【要約】      （修正有）【課題】バッテリーモジュールの組み立てと取り外しを容易にするバッテリーのケースモジュールを提供する。【解決手段】バッテリーのケースモジュールはバッテリーモジュール４に結合され、バッテリーのケースモジュールは、第一ケース１、第二ケース７およびロック部６を含む。第一ケースはバッテリーモジュールを収納させる第一収納部を含み、第二ケースと第一ケースは着脱可能に結合され、ロック部はバッテリーモジュールの一側に取り付けられかつバッテリーモジュールを固定させることに用いられる。バッテリーモジュールはバッテリー本体、第一バッテリーモジュールのケースおよび第二バッテリーモジュールのケースを含み、バッテリー本体は第一バッテリーモジュールのケースと第二バッテリーモジュールのケースによって形成される内部の収納部に収納される。【選択図】図１
0003225790.tif 000002
【実用新案登録請求の範囲】
【請求項１】
バッテリーモジュールに結合されるバッテリーのケースモジュールであって、前記バッテリーのケースモジュールは、前記バッテリーモジュールを収納させる第一収納部が形成される第一ケースと、前記第一ケースに着脱可能に結合される第二ケースと、前記バッテリーモジュールの一側に取り付けられかつ前記バッテリーモジュールを固定させることに用いられるロック部とを含むことを特徴とするバッテリーのケースモジュール。
【請求項２】
前記バッテリーのケースモジュールは付属品を含み、前記付属品は制御装置と警報装置のうちいずれかの一種または多種を含み、前記第一ケースと前記第二ケースのうちいずれかの１つには第二収納部が形成され、前記付属品は前記第二収納部内に収納されることを特徴とする請求項１に記載のバッテリーのケースモジュール。
【請求項３】
前記付属品は制御装置と警報装置を含み、前記制御装置は前記第二ケースの第二収納部内に取り付けられ、前記警報装置は前記第一ケースの第二収納部内に取り付けられることを特徴とする請求項２に記載のバッテリーのケースモジュール。
【請求項４】
前記バッテリーのケースモジュールは中軸を更に含み、前記第一ケースには前記中軸を収納させる中軸孔が形成され、前記第二ケースには前記中軸を収納させる中軸凹部が形成され、前記中軸は前記中軸凹部によって前記中軸孔に挿入されることを特徴とする請求項１〜３のいずれかの一項に記載のバッテリーのケースモジュール。
【請求項５】
前記バッテリーのケースモジュールはラインペンシルを更に含み、前記第一ケースと前記第二ケースのうちいずれかの１つには第三収納部が形成され、前記ラインペンシルは前記第三収納部内に収納され、前記第一ケースまたは前記第二ケースには前記ラインペンシルを取り付ける凹部が形成されていることを特徴とする請求項１〜３のいずれかの一項に記載のバッテリーのケースモジュール。
【請求項６】
前記バッテリーのケースモジュールは保護フレームと連結フレームを更に含み、前記第一ケースは前記保護フレームと前記連結フレームとの間に取り付けられ、前記ラインペンシルは前記保護フレームと前記第一ケースとの間に取り付けられるとともにその２つの部品の間に隠蔽され、前記連結フレームは前記バッテリーのケースモジュールを固定させることを特徴とする請求項５に記載のバッテリーのケースモジュール。
【請求項７】
前記第一ケースと前記第二ケースは連結部品により連結され、前記第一ケースと前記第二ケースとの間にはシーリングリングが取り付けられることを特徴とする請求項１〜３のいずれかの一項に記載のバッテリーのケースモジュール。
【請求項８】
前記バッテリーモジュールはバッテリー本体、第一バッテリーモジュールのケースおよび第二バッテリーモジュールのケースを含み、前記バッテリー本体は前記第一バッテリーモジュールのケースと前記第二バッテリーモジュールのケースによって形成される内部の収納部に収納されることを特徴とする請求項１に記載のバッテリーのケースモジュール。
【請求項９】
前記バッテリーモジュールは第一バッテリー本体のフレーム、第二バッテリー本体のフレームおよび保護板を更に含み、前記バッテリー本体は前記第一バッテリー本体のフレームと第二バッテリー本体のフレームとの間に取り付けられ、前記保護板は前記第二バッテリーモジュールのケースに着脱可能に連結され、前記第二バッテリー本体のフレームは前記保護板と前記第二バッテリーモジュールのケースとの間に取り付けられ、前記第一バッテリー本体のフレームは前記バッテリー本体と前記第一バッテリーモジュールのケースとの間に取り付けられることを特徴とする請求項８に記載のバッテリーのケースモジュール。
【請求項１０】
前記バッテリーモジュールは放電部と充電部を含み、前記放電部は前記第一バッテリーモジュールのケースと前記第二バッテリーモジュールのケースとの間に取り付けられかつ連結部品によって固定され、前記充電部は前記第二バッテリーモジュールのケース上に取り付けられ、前記保護板上には表示装置と外部インターフェースが取り付けられることを特徴とする請求項９に記載のバッテリーのケースモジュール。
【考案の詳細な説明】
【技術分野】
【０００１】
この考案は、バッテリーの技術に関し、より具体的に、バッテリーのケースモジュールに関するものである。
【背景技術】
【０００２】
バッテリーモジュールとバッテリーケースを結合させるため、従来のバッテリーモジュールとバッテリーケースに結合手段を設ける。バッテリーモジュール上には第一挿入部が形成され、第一挿入部はネジによってバッテリーモジュール上に取り付けられる。バッテリーケース上にはバッテリーモジュールの第一挿入部に結合される第二挿入部が形成され、第一挿入部と第二挿入部により電気接続を実現することができる。バッテリーケースは車体フレームのボトムブラケット（Ｂｏｔｔｏｍ  Ｂｒａｃｋｅｔ）または他の装着位置に溶接される。
【０００３】
従来のバッテリーモジュールを個別的に取り外すことができないので、バッテリーモジュールが壊れるとき、バッテリーモジュールとバッテリーのケースモジュールを一緒に取り替える必要があるので、無駄が発生するおそれがある。
【考案の概要】
【考案が解決しようとする課題】
【０００４】
この考案において、従来技術の少なくとも１つの欠点を解決するため、バッテリーモジュールの挿入（組み立て）と取り外しを容易にすることができるバッテリーのケースモジュールを提供する。
【課題を解決するための手段】
【０００５】
前記目的を実現するため、この考案においてバッテリーのケースモジュールを提供する。バッテリーのケースモジュールはバッテリーモジュールに結合され、バッテリーのケースモジュールは、第一ケース、第二ケースおよびロック部を含む。第一ケースはバッテリーモジュールを収納させる第一収納部を含み、第二ケースと第一ケースは着脱可能に結合され、ロック部はバッテリーモジュールの一側に取り付けられかつバッテリーモジュールを固定させることに用いられる。
【０００６】
好ましくは、バッテリーのケースモジュールは付属品を含み、付属品は制御装置と警報装置のうちいずれかの一種または多種を含み、第一ケースと第二ケースのうちいずれかの１つには第二収納部が形成され、付属品は第二収納部内に収納される。
【０００７】
好ましくは、付属品は制御装置と警報装置を含み、制御装置は第二ケースの第二収納部内に取り付けられ、警報装置は第一ケースの第二収納部内に取り付けられる。
【０００８】
好ましくは、バッテリーのケースモジュールは中軸を更に含み、第一ケースには中軸を収納させる中軸孔が形成され、第二ケースには中軸を収納させる中軸凹部が形成され、中軸は中軸凹部によって中軸孔に挿入される。
【０００９】
好ましくは、バッテリーのケースモジュールはラインペンシルを更に含み、第一ケースと第二ケースのうちいずれかの１つには第三収納部が形成され、ラインペンシルは第三収納部内に収納され、第一ケースまたは第二ケースにはラインペンシルを取り付ける凹部が形成されている。
【００１０】
好ましくは、バッテリーのケースモジュールは保護フレームと連結フレームを更に含み、第一ケースは保護フレームと連結フレームとの間に取り付けられ、ラインペンシルは保護フレームと第一ケースとの間に取り付けられるとともにその２つの部品の間に隠蔽され、連結フレームはバッテリーのケースモジュールを固定させる。
【００１１】
好ましくは、第一ケースと第二ケースは連結部品により連結され、第一ケースと第二ケースとの間にはシーリングリングが取り付けられる。
【００１２】
好ましくは、バッテリーモジュールはバッテリー本体、第一バッテリーモジュールのケースおよび第二バッテリーモジュールのケースを含み、バッテリー本体は第一バッテリーモジュールのケースと第二バッテリーモジュールのケースによって形成される内部の収納部に収納される。
【００１３】
好ましくは、バッテリーモジュールは第一バッテリー本体のフレーム、第二バッテリー本体のフレームおよび保護板を更に含み、バッテリー本体は第一バッテリー本体のフレームと第二バッテリー本体のフレームとの間に取り付けられ、保護板は第二バッテリーモジュールのケースに着脱可能に連結され、第二バッテリー本体のフレームは保護板と第二バッテリーモジュールのケースとの間に取り付けられ、第一バッテリー本体のフレームはバッテリー本体と第一バッテリーモジュールのケースとの間に取り付けられる。
【００１４】
好ましくは、バッテリーモジュールは放電部と充電部を含み、放電部は第一バッテリーモジュールのケースと第二バッテリーモジュールのケースとの間に取り付けられかつ連結部品によって固定され、充電部は第二バッテリーモジュールのケース上に取り付けられ、保護板上には表示装置と外部インターフェースが取り付けられる。
【考案の効果】
【００１５】
以上のとおり、この考案のバッテリーのケースモジュールのロック部は部品の固定と盗難の防止に用いられる。ロック部のロックを解除した後、バッテリーモジュールと第一ケースを分離させることによりバッテリーモジュールのみを取り外すことができる。取り外されるバッテリーモジュールを携帯型電源として用いることができる。また、バッテリーモジュールを第一ケースの第一収納部に収納させることによりバッテリーのケースモジュール内の空間を有効に節約することができる。また、ネジ等の連結部品で第一ケースと第二ケースを連結させることにより、第一ケースと第二ケースを着脱可能に連結させることができる。他の実施例において、結合方法、ネジ連結方法等の連結方法により第一ケースと第二ケースを着脱可能に連結させることもできる。
【図面の簡単な説明】
【００１６】
【図１】この考案の実施例に係るバッテリーのケースモジュールを示す分解図である。
【図２】この考案の実施例に係るバッテリーモジュールを示す分解図である。
【図３】この考案の実施例に係るバッテリーのケースモジュールを示す図である。
【図４】この考案の実施例に係るバッテリーモジュールの他の角度の構造を示す図である。
【図５】この考案の実施例に係るバッテリーモジュールにおいて第二ケースが取り外されることを示す図である。
【図６】この考案の実施例に係る第一ケースとロック部を示す図である。
【図７】この考案の実施例全体の使用の状態を示す図である。
【考案を実施するための形態】
【００１７】
この考案の前記目的、特徴および考案の効果をより詳細に説明するため、以下、この考案の好適な実施例と図面によりこの考案を詳細に説明する。
【００１８】
図１ないし図６を参照すると、この考案の実施例においてバッテリーのケースモジュールを提供する。バッテリーのケースモジュールはバッテリーモジュール４に結合され、バッテリーのケースモジュールは、第一ケース１、第二ケース７およびロック部６を含む。第一ケース１はバッテリーモジュール４を収納させる第一収納部１１１を含み、第二ケース７と第一ケース１は着脱可能に結合され、ロック部６はバッテリーモジュール４の一側に取り付けられかつバッテリーモジュール４を固定させることに用いられる。
【００１９】
この考案の実施例に係るバッテリーのケースモジュールにおいて、バッテリーモジュール４を第一ケース１の第一収納部１１１に収納させることによりバッテリーのケースモジュール内の空間を有効に節約することができる。次に、ネジ等の連結部品１１で第一ケース１と第二ケース７を連結させることにより、第一ケース１と第二ケース７を着脱可能に連結させることができる。他の実施例において、結合方法、ネジ連結方法等の連結方法により第一ケース１と第二ケース７を着脱可能に連結させることもできる。この実施例において、ロック部６は機械式ロック部であることによりバッテリーモジュールを固定させかつバッテリーモジュールの盗難を防止することができる。機械式ロック部のロックを解除した後、バッテリーモジュール４と第一ケース１を分離させることによりバッテリーモジュール４のみを取り外すことができる。取り外されるバッテリーモジュール４を携帯型電源（ｐｏｒｔａｂｌｅ  ｐｏｗｅｒ  ｓｏｕｒｃｅ）として用いることができる。バッテリーモジュール４の表面に他の挿入部が取り付けられておらず、表面の形状が平坦であるので、バッテリーモジュールを容易に貯蔵または運輸することができる。他の実施例において、ロック部６は電子式ロック部であることもできる。
【００２０】
この実施例中のケースはいずれも、アルミニウムの鋳造により形成される。他の実施例において、ケースをステンレス、高分子材料または他の材料で製造することもできる。より具体的に、第一ケース内に隔離板１０１が形成されることによりバッテリーモジュール４を収納させる第一収納部１１１と制御装置５、第一放電部８およびロック部６を収納させる他の収納部が形成される。ロック部６は第一ケース１の隔離板１０１上に取り付けられてバッテリーモジュールに当接することによりバッテリーモジュールをロックさせることができる。ロック解除端は第二ケース７上に設けられかつ第二ケース７から露出しているので、ロックの解除を容易にすることができる。
【００２１】
より具体的に、従来の技術において第一ケース１と第二ケース７は着脱可能に連結されているので、どろぼうは道具で第二ケース７を取り外した後、バッテリーモジュールを盗むことができる。この実施例には隠蔽型連結部品１１２が設けられ、その隠蔽型連結部品１１２はバッテリーモジュールのそばに設けられる。隠蔽型連結部品１１２は第一ケース１の連結孔１１０と第二ケースの所定の連結孔によって第一ケースと第二ケースを連結させる。２個の連結孔１１０は放電部４１０の両側に形成され、隠蔽型連結部品１１２の両端は第一ケースと第二ケースから露出していないので、ユーザーはバッテリーモジュールを取り外さなければ隠蔽型連結部品１１２を見ることができない。ユーザーはロック部を解除させると隠蔽型連結部品１１２を見ることができ、隠蔽型連結部品１１２を取り外した後第一ケース１と第二ケース７を分離させることができる。
【００２２】
この実施例において、付属品は、制御装置５、警報装置２および第一放電部８を含み、第一放電部８と制御装置５は第二ケース７の第二収納部内に取り付けられ、警報装置２は第一ケース１の第二収納部内に取り付けられる。他の実施例において、付属品は制御装置５と警報装置２のみを含み、付属品は第二ケース７の第二収納部内に取り付けられるか或いは第一ケース１と第二ケース７の結合によって形成された第二収納部内に取り付けられることができる。バッテリーのケースモジュールは中軸３を更に含み、第一ケース７には中軸３を収納させる中軸孔が形成され、第二ケースには中軸を収納させる中軸凹部が形成され、中軸は中軸凹部によって中軸孔に挿入される。制御装置５はバッテリーモジュール５の充電放電を制御し、警報装置２は電源の開閉、盗難の防止、車の探しに用いられる。
【００２３】
この実施例のバッテリーのケースモジュールにおいて、バッテリーモジュール４、制御装置５および警報装置２はいずれも、第一ケース１と第二ケース７の内部に取り付けられ、バッテリーモジュール４と各付属品は一体に縛られることにより、バッテリーのケースモジュールが占める空間を一層節約することができる。前記バッテリーのケースモジュールを車内に取り付けるとき、非常に小さい空間があればそれを取り付けることができるので、バッテリーのケースモジュールを車内の小さい空間内に取り付けることができる。
【００２４】
バッテリーのケースモジュールはラインペンシルを更に含み、従来のバッテリーケース内のラインペンシルはバラバラになっている。この実施例の第一ケース１と第二ケース７のうちいずれかの１つには第三収納部が形成され、ラインペンシルは第三収納部内に収納されることにより、安全性をより向上させ、ラインペンシルを容易に隠蔽させ、構造をより簡単にすることができる。第一ケース１または第二ケース７にはラインペンシルを取り付ける凹部が形成され、その凹部によりラインペンシルを露出させることができる。
【００２５】
この実施例において、バッテリーのケースモジュールは保護フレーム９と連結フレーム１０を更に含み、第一ケース１は保護フレーム９と連結フレーム１０との間に取り付けられ、ラインペンシルは保護フレーム９と第一ケース１との間に取り付けられるとともにその２つの部品の間に隠蔽され、バッテリーのケースモジュールは連結フレーム１０により所定の個所に取り付けられる。従来のバッテリーケースにおいて、バッテリーケースを車体フレームのボトムブラケット（Ｂｏｔｔｏｍ  Ｂｒａｃｋｅｔ）または他の装着位置に溶接させるとき、バッテリーケースは容易に変形するおそれがあるので、バッテリーモジュール４の挿入と取り外しを容易にすることができない。また、バッテリーケースが破損されてもバッテリーケースのみを取り替えることができない。この考案のバッテリーモジュール４は連結フレーム１０に直接に連結されていないので、バッテリーモジュール４を取り外すとき、変形の抵抗力によってそれを順調に取り外すことができない問題を解決することができる。この実施例の連結フレーム１０は車体フレームに直接に溶接され、ネジ等の連結部品１１によりバッテリーケースに連結される。保護フレーム９はネジ等の連結部品１１により第一ケース１１に連結され、保護フレーム９の主な役割はラインペンシルとバッテリーケースを隠蔽させることにある。
【００２６】
この実施例において、保護フレーム９と連結フレーム１０はいずれも第一ケース１の外部に取り付けられ、保護フレーム９と連結フレーム１０の形状はいずれも第一ケース１の外部の形状によって形成される。保護フレーム９と連結フレーム１０はいずれも円弧型である。バッテリーモジュール４は円柱型と類似している形状に形成され、第一ケース１と第二ケース７の形状はバッテリーモジュール４のケースの形状によって形成される。第一ケース１と第二ケース７を結合させるとき、その内部に円柱型と類似している空間が形成されることにより空間を節約することができる。
【００２７】
この実施例において、第一ケース１と第二ケース７は連結部品１１により連結され、第一ケース１と第二ケース７との間にはシーリングリング（ｓｅａｌｉｎｇ  ｒｉｎｇ）が取り付けられているので、液体の流入によって内部の部品が破損されることを防止することができる。連結部品１１はボルト、スクリュー、ナット等であり、それらにより着脱を容易にすることができる。
【００２８】
この実施例において、バッテリーモジュール４はバッテリー本体４４、第一バッテリーモジュールのケース４２および第二バッテリーモジュールのケース４８を含み、バッテリー本体４４は第一バッテリーモジュールのケース４２と第二バッテリーモジュールのケース４８によって形成される内部の収納部に収納される。バッテリーモジュール４は第一バッテリー本体のフレーム４３、第二バッテリー本体のフレーム４５および保護板４６を更に含み、バッテリー本体４４は第一バッテリー本体のフレーム４３と第二バッテリー本体のフレーム４５との間に取り付けられ、保護板４６は第二バッテリーモジュールのケース４８に着脱可能に連結され、第二バッテリー本体のフレーム４５は保護板４６と第二バッテリーモジュールのケース４８との間に取り付けられ、第一バッテリー本体のフレーム４３はバッテリー本体４４と第一バッテリーモジュールのケース４２との間に取り付けられる。ラバーストッパー（ｒｕｂｂｅｒ  ｓｔｏｐｐｅｒ）４９は第一バッテリーモジュールのケース４２上に取り付けられる。
【００２９】
この実施例において、バッテリーモジュール４は放電部４１０と充電部４７を含み、放電部４１０は第一バッテリーモジュールのケース４２と第二バッテリーモジュールのケース４８との間に取り付けられかつ連結部品１１によって固定され、充電部４７は第二バッテリーモジュールのケース４８上に取り付けられ、保護板４６上には表示装置と外部インターフェースが取り付けられる。外部インターフェースはＵＳＢインターフェースであることができ、携帯電話等の電子装置の充電に用いられる。
【００３０】
この技術分野の技術者が周知のように、この考案の明細書において用いられる「上」、「下」、「前」、「後ろ」、「左」、「右」、「垂直」、「水平」、「上部」、「下部」、「裏」、「外」等の方向または位置の関係を示す用語は図面上の方向または位置の関係を示すものであり、それらによりこの考案を容易に説明しかつ説明を簡単にすることができる。前記用語はこの考案の装置または部品の所定の方向、構造または操作の所定の方向を示すものでなく、前記用語によりこの考案を限定する意図はない。
【００３１】
以上、この考案の具体的な実施形態を詳述してきたが、前記実施形態はこの考案の例示にしか過ぎないものであり、この考案は前記実施形態の構成にのみ限定されるものではない。この技術分野の技術者は、この考案の要旨を逸脱しない範囲内において技術的事項と技術的思想の改良、変更をすることができ、このような改良、変更等があってもこの考案に含まれることは勿論である。この考案の技術的範囲はこの考案の実用新案登録請求の範囲が定めた技術的範囲を基準とする。
【符号の説明】
【００３２】
１      第一ケース
１１    連結部品
１０１  隔離板
１１０  連結孔
１１１  第一収納部
１１２  隠蔽型連結部品
２      警報装置
３      中軸
４      バッテリーモジュール
４２    第一バッテリーモジュールのケース
４３    第一バッテリー本体のフレーム
４４    バッテリー本体
４５    第二バッテリー本体のフレーム
４６    保護板
４７    充電部
４８    第二バッテリーモジュールのケース
４９    ラバーストッパー
４１０  放電部
５      制御装置
６      ロック部
７      第二ケース
８      第一放電部
９      保護フレーム
１０    連結フレーム
【図１】
0003225790.tif 000003
【図２】
0003225790.tif 000004
【図３】
0003225790.tif 000005
【図４】
0003225790.tif 000006
【図５】
0003225790.tif 000007
【図６】
0003225790.tif 000008
【図７】
0003225790.tif 000009